(57)【要約】【課題】原稿を読み取るための読取ユニットの小型化、低コスト化を実現するとともに、副走査方向の色ずれを好適に補正する画像読取装置及びその制御方法を提供する。【解決手段】基準軸光線の入射方向と射出方向とが異なり、かつ、曲率を有する複数のオフアキシャル反射面を用いて原稿を読み取る画像読取装置において、注目画素の主走査位置に対応する補正係数と、画像データとを用いて、当該注目画素に対する副走査方向の色ずれを補正する。また、注目画素の主走査位置に対応する補正係数が予め保持されていない場合は、線形補間により色ずれ補正を実行する。【選択図】図６
2010021727.tif 000002
【特許請求の範囲】
【請求項１】
基準軸光線の入射方向と射出方向とが異なり、かつ、曲率を有する複数のオフアキシャル反射面を用いて原稿を読み取る読取手段を備える画像読取装置であって、
前記読取手段によって読み取られた画像データにおける副走査方向の色ずれを補正するための補正係数を、主走査方向の複数の主走査位置ごとに記憶する記憶手段と、
色ずれの補正対象となる注目画素が含まれる主走査ラインに対して、副走査方向に前後１ラインづつ異なる主走査ラインにおいて読み取られた画像データを保持する保持手段と、
前記注目画素の主走査位置に対応する、前記記憶手段に記憶された補正係数と前記保持手段に保持された画像データとを用いて、該注目画素に対する副走査方向の色ずれを補正する色ずれ補正手段と
を備えることを特徴とする画像読取装置。
【請求項２】
前記注目画素の主走査位置に対応する補正係数が前記記憶手段に記憶されていない場合に、該主走査位置と異なる他の主走査位置に対応する補正係数を用いて線形補間を行うことにより、該注目画素の色ずれを補正する補間手段をさらに備えることを特徴とする請求項１に記載の画像読取装置。
【請求項３】
前記注目画素の主走査位置を示す値より小さく、かつ、最も近い値である前記記憶手段に記憶された主走査位置に対応する第１補正係数を用いて副走査方向の色ずれを補正する第１補正手段と、
前記注目画素の主走査位置を示す値より大きく、かつ、最も近い値である前記記憶手段に記憶された主走査位置に対応する第２補正係数を用いて副走査方向の色ずれを補正する第２補正手段とをさらに備え、
前記補間手段は、
前記第１補正手段の補正結果に対して、前記注目画素の主走査位置を示す値と前記第１補正係数の主走査位置を示す値との差分である第１差分を乗算した第１乗算結果と、前記第２補正手段の補正結果に対して、前記注目画素の主走査位置を示す値と前記第２補正係数の主走査位置を示す値との差分である第２差分を乗算した第２乗算結果と、を加算し、当該加算結果を、前記第１差分と前記第２差分とを加算した値で除算することにより、線形補間を実行することを特徴とする請求項２に記載の画像読取装置。
【請求項４】
前記補正係数は、前記読み取られた画像データに対し、１つの色の補正係数を含まず、他の色の画像データに対して補正を行うための色ごとの補正係数のみを含むことを特徴とする請求項１乃至３のいずれか１項に記載の画像読取装置。
【請求項５】
基準軸光線の入射方向と射出方向とが異なり、かつ、曲率を有する複数のオフアキシャル反射面を用いて原稿を読み取る読取手段を備える画像読取装置の制御方法であって、
色ずれの補正対象となる注目画素の主走査位置に対応する、前記読取手段によって読み取られた画像データにおける副走査方向の色ずれを補正するための補正係数と、前記注目画素が含まれる主走査ラインに対して、副走査方向に前後１ラインづつ異なる主走査ラインにおいて読み取られた画像データとを用いて、該注目画素に対する副走査方向の色ずれを補正するステップを
含むことを特徴とする画像読取装置の制御方法。
【発明の詳細な説明】
【技術分野】
【０００１】
本発明は、光学的に原稿を読み取る複写機などの画像読取装置及びその制御方法に関するものである。
【背景技術】
【０００２】
複写機、ファクシミリ、イメージスキャナ等の画像読取装置では、原稿を読み取るため、いわゆる縮小光学系の読取装置が備えられている。このような縮小光学系の読取装置は、露光ランプや折り返しミラーからなる走査光学系において原稿面を走査する際に得られる反射光を、レンズを介して光電変換素子上に結像させ、電気信号に変換する。
【０００３】
しかし、縮小光学系とＣＣＤラインセンサを用いた読取装置では、レンズの画角を広く取ると軸外での画像の歪みが顕著になるため、光路を長くとる必要があり、それに伴って読取ユニットが大型化していた。そこで、特許文献１では、低コスト化・小型化の要求に応える読取部の光学系として、結像光学系に基準軸光線の入射方向と反射方向とが異なり、かつ、曲率を有する複数のオフアキシャル反射面を含む結像光学素子を用いた画像読取装置が提案されている。
【特許文献１】特開２００２−３３５３７５号公報
【発明の開示】
【発明が解決しようとする課題】
【０００４】
しかしながら、従来技術においては、以下に記載する問題がある。例えば、従来の縮小光学系では、副走査方向の色ずれ量が主走査位置に対して略均一であり、主走査位置に対して一定の値で補正することによって、副走査方向の色ずれを解消できていた。しかしながら、特許文献１に記載のようなオフアキシャル光学系を用いた画像読取装置では、オフアキシャル反射面の製造過程で生じる寸法誤差により、読み取った画像に歪みが生じてしまうことがある。特にこの歪みは副走査方向の色ずれとして生じる場合、それが主走査位置によって異なってしまうため、従来の主走査位置で一律の補正値を用いた補正方法では十分な副走査方向の色ずれ補正の効果が得られなかった。そのため、十分な色ずれ補正を行えなかった箇所については、原稿のカラー／モノクロ判定や黒文字、色文字を誤判定してしまう要因となっていた。
【０００５】
本発明は、上述の問題に鑑みて成されたものであり、原稿を読み取るための読取ユニットの小型化、低コスト化を実現するとともに、副走査方向の色ずれを好適に補正する画像読取装置及びその制御方法を提供することを目的とする。
【課題を解決するための手段】
【０００６】
本発明は、例えば、基準軸光線の入射方向と射出方向とが異なり、かつ、曲率を有する複数のオフアキシャル反射面を用いて原稿を読み取る読取手段を備える画像読取装置として実現できる。画像読取装置は、読取手段によって読み取られた画像データにおける副走査方向の色ずれを補正するための補正係数を、主走査方向の複数の主走査位置ごとに記憶する記憶手段と、色ずれの補正対象となる注目画素が含まれる主走査ラインに対して、副走査方向に前後１ラインづつ異なる主走査ラインにおいて読み取られた画像データを保持する保持手段と、注目画素の主走査位置に対応する、記憶手段に記憶された補正係数と保持手段に保持された画像データとを用いて、注目画素に対する副走査方向の色ずれを補正する色ずれ補正手段とを備えることを特徴とする。
【０００７】
また、本発明は、例えば、基準軸光線の入射方向と射出方向とが異なり、かつ、曲率を有する複数のオフアキシャル反射面を用いて原稿を読み取る読取手段を備える画像読取装置の制御方法として実現できる。制御方法は、色ずれの補正対象となる注目画素の主走査位置に対応する、読取手段によって読み取られた画像データにおける副走査方向の色ずれを補正するための補正係数と、注目画素が含まれる主走査ラインに対して、副走査方向に前後１ラインづつ異なる主走査ラインにおいて読み取られた画像データとを用いて、注目画素に対する副走査方向の色ずれを補正するステップを含むことを特徴とする。
【発明の効果】
【０００８】
本発明は、例えば、原稿を読み取るための読取ユニットの小型化、低コスト化を実現するとともに、副走査方向の色ずれを好適に補正する画像読取装置及びその制御方法を提供できる。
【発明を実施するための最良の形態】
【０００９】
以下に本発明の一実施形態を示す。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【００１０】
以下では、図１乃至図７を参照して、本実施形態について説明する。図１は、本実施形態に係る画像読取装置の読取装置の一例を示す断面図である。１０１は、本実施形態に係る原稿を読み取るための読取装置を示す。
【００１１】
読取装置１０１は、読取ユニット１０２、ガイドシャフト１０３、枠体１１７及び原稿台ガラス１１８を備える。また、読取ユニット１０２は、原稿の画像を走査するために、光源１０４、反射ミラー１０５、１０６、１０７、結像ユニット１１３、ＣＣＤラインセンサ１１４、信号処理基板１１５及び結合部材１１６を備える。さらに、結像ユニット１１３は、結像ミラー１０８、１０９、１１０、１１１及びミラー保持部材１１２を備える。
【００１２】
ガイドシャフト１０３は、読取ユニット１０２が図１中の左右方向に走査する際に当該読取ユニット１０２をガイドする。光源１０４は、原稿を照明するための照明手段の一例である。反射ミラー１０５、１０６、１０７は、原稿面によって拡散した光を結像ユニット１１３に導く。
【００１３】
結像ミラー１０８、１０９、１１０、１１１は、反射ミラー１０５、１０６、１０７にて導かれた光を結像する。本実施形態に係る結像ミラー１０８〜１１１は、基準軸光線の入射方向と射出方向とが異なり、かつ、曲率を有するオフアキシャル反射面を備える。ミラー保持部材１１２は、結像ミラー１０８〜１１１を所定の相対位置に保持する。
【００１４】
ＣＣＤラインセンサ１１４は、結像ユニット１１３により結像された光を光電変換する。信号処理基板１１５は、ＣＣＤラインセンサ１１４を駆動し、ＣＣＤラインセンサ１１４から出力される信号を処理する。結合部材１１６は、ＣＣＤラインセンサ１１４及び信号処理基板１１５を読取装置１０１の枠体１１７に結合させる。原稿台ガラス１１８は、原稿を載置するための台である。圧板１１９は、原稿を原稿台ガラス１１８に押下する。原稿台ガラス１１８上に載置された原稿の画像を読取ユニット１０２が移動走査して読み取る。
【００１５】
原稿の画像を読み取る際には、光源１０４によって原稿を照明し、原稿面で拡散した光を反射ミラー１０５、１０６、１０７によって結像ミラー１０８〜１１１に導き、ＣＣＤラインセンサ１１４に結像される。ＣＣＤラインセンサ１１４は、結像された光を光電変換し、得られた電気信号を信号処理基板１１５によって処理する。これらの処理によって、原稿の画像が電気的信号として読み取られる。
【００１６】
次に、図２を参照して、本実施形態に係る読取装置１０１の制御構成について説明する。図２は、本実施形態に係る読取装置１０１の制御構成を示すブロック図である。ここでは、主に本発明に関する制御ブロックについて説明する。したがって、読取装置１０１は、他の制御ブロックを含んで構成されてもよい。
【００１７】
本実施形態に係る画像読取装置は、制御構成として、アナログ処理回路２０１、ＡＤコンバータ２０２、シェーディング回路２０３、色ずれ補正部２０４、タイミング発生回路２０５、ＥＥＰＲＯＭ２０６、ＣＰＵ２０７及びラインメモリ２０８を備える。各制御ブロックは、それぞれ信号線により接続されている。
【００１８】
ＣＣＤラインセンサ１１４から出力されるＣＣＤラインセンサ信号は、インピーダンス変換のためのエミッタフォロワ回路（不図示）を通って後段に送られる。アナログ処理回路２０１は、ＣＣＤラインセンサ１１４からの出力信号をＣＤＳなどの手法でサンプリングし、サンプリングしたデータに対してオフセット調整、ゲイン調整などを行う。ＡＤコンバータ２０２は、アナログ処理回路２０１からの出力信号をデジタルデータに変換する。
【００１９】
シェーディング回路２０３は、ＣＣＤラインセンサ１１４の画素ごとの感度ばらつきや、端部光量落ちを補正する白シェーディング補正と、黒レベル（暗部）のばらつきを補正する黒シェーディング補正とを行う。また、シェーディング回路は、白シェーディング係数及び黒シェーディング係数を保持するメモリと、白シェーディング係数及び黒シェーディング係数を算出した際の複数ライン加算平均用のメモリとを備えている。
【００２０】
ラインメモリ２０８は、２ライン分の画像データを保持し、ＲＧＢ各色２ライン分の画像データを保持することができる。具体的には、ラインメモリ２０８は、色ずれ補正対象となる注目画素が含まれる主走査ラインに対して、副走査方向に前記１ラインづつ異なる主走査ラインにおいて読み取られた画像データを保持する。ＥＥＰＲＯＭ２０６は、色ずれ補正部２０４の処理パラメータ等が記憶されている。色ずれ補正部２０４は、入力される画像データとラインメモリ２０８に保持されている画像データを使用して色ずれの補正を行う。色ずれ補正の詳細については、後述する。
【００２１】
ＣＰＵ２０７は、画像処理を統括的に制御し、各ブロックの動作モード設定、ＥＥＰＲＯＭ２０６の読み書き、処理タイミングなどを各制御ブロックに指示する。タイミング発生回路２０５は、各ブロックの動作信号を発生する。各ブロックはタイミング発生回路２０５から出力される信号に同期して動作する。
【００２２】
次に、図３を参照して、ＥＥＰＲＯＭ２０６に格納されている設定情報について説明する。図３は、本実施形態に係るＥＥＰＲＯＭ２０６に格納されている色ずれ補正用のパラメータを示す図である。
【００２３】
図３に示す３０１は、６箇所の主走査位置の情報を示す。３０２は、各主走査位置に対応するＲＥＤ用の色ずれ補正係数セットを示す。３０３は、各主走査位置に対応するＢＬＵＥ用の色ずれ補正係数セットを示す。これらの情報は、ＥＥＰＲＯＭ２０６に対応付けられて予め記憶されている。補正係数セットは、３つの値を含み、補正演算に使用される係数である。係数についての詳細は後述する。
【００２４】
ここで、６箇所の主走査位置に対して補正係数が用意されているのは、主走査位置で異なる色ずれを主走査位置に応じて補正するためである。各係数セットには、読み取りユニットの副走査方向の色ずれ量に応じた補正係数セットが予め設定されている。これらの設定値は、工場出荷時に所定のチャートを読み取り、その結果を基に算出した補正値が書き込まれる。また、出荷後において、読取ユニットに付記された補正値からサービスマンが操作パネルを用いて入力してもよい。
【００２５】
図３に示すように、Ｇ信号用の補正係数については用意されてない。これは、Ｇ信号を基準として処理を行わず、Ｒ信号、Ｂ信号の色ずれを補正してＲＧＢの副走査位置を一致させるためである。しかしながら、基準とする信号をＧ信号に限定する必要はなく、他の色でもよい。
【００２６】
また、Ｒ信号、Ｂ信号のみに処理を行った場合、Ｒ信号、Ｂ信号に対してＧ信号の副走査ＭＴＦ（Ｍｏｄｕｌａｔｅｄ  Ｔｒａｎｓｆｅｒ  Ｆｕｎｃｔｉｏｎ）が大きくなってしまい、副走査ＭＴＦのＲＧＢバランスが大きくなることがある。この場合はＧ信号用の補正係数Ａ１，Ａ２，Ａ３の設定値を、ＭＴＦを下げるように設定にして、副走査ＭＴＦのＲＧＢバランスを調整することが望ましい。
【００２７】
次に、図４を参照して、色ずれ補正部２０４の動作について説明する。図４は、３ライン分の画像データを示す図である。図４に示すように、色ずれ補正部２０４における色ずれ補正は副走査３ライン分の画像データを使用する。４０１は、ｎ−１ライン目の画像データを示す。４０２は、ｎライン目の画像データを示す。４０３は、ｎ＋１ライン目の画像データを示す。
【００２８】
画像データ４０１、４０２は、ラインメモリ２０８に保持されている画像データであり、画像データ４０３は、色ずれ補正部２０４に入力される現在の読み取り画像データである。色ずれ補正部２０４は、主走査の注目画素位置Ｘｎに対し、前後１ラインの画素値Ｘｎ−１、Ｘｎ＋１を使用して下記式より出力信号Ｙｎを生成する。
Ｙｎ＝｛Ａ１＊（Ｘｎ−１）＋Ａ２＊Ｘｎ＋Ａ３＊（Ｘｎ＋１）｝／１２８・・・（式１）
ここで、Ａ１、Ａ２、Ａ３は上述したようにＥＥＰＲＯＭ２０６に保持されている３つの補正係数であり、ＣＰＵ２０７により色ずれ補正部２０４へレジスタ設定される。補正係数Ａ１、Ａ２、Ａ３の値を変更することにより色ずれ補正量を変更することができる。また、補正係数Ａ１、Ａ２、Ａ３は、０から１２８の値が設定可能で、設定値の合計が１２８になるように設定される。式１はＲＧＢ各色独立して行われるようになっており、上記演算を実現する演算部がＲＧＢの各色に対してそれぞれ用意されている。
【００２９】
次に、図５を参照して、色ずれ量と補正係数について説明する。図５は、本実施形態に係る実際の色ずれ量と補正係数設定値の関係を示す図である。横軸は主走査位置を示し、縦軸は色ずれ量を示す。
【００３０】
実線５０１が実際の色ずれ量を示し、白丸（○）が図３で設定される各主走査位置に対応する色ずれ補正量を示す。なお、図５は画像データのある１色についてのみ示したもので、他の色の信号についても同様である。
【００３１】
点線５０２は、補正される色ずれ量を示している。色ずれ補正量を設定した主走査位置間、即ち白丸と白丸の間の色ずれ補正量は、白丸で設定された補正係数セットでの演算結果を使用した線形補間により生成される。このように、色ずれ補正量を線形補間することにより、メモリの消費量を低減しつつ、色ずれ補正を滑らかに行うことができ、より精度のよい読取画像を得ることができる。
【００３２】
次に、図６を参照して、色ずれ補正部２０４の詳細について説明する。図６は、本実施形態に係る色ずれ補正部２０４の構成例を示すブロック図である。ここでは、ＲＧＢ信号のうちＲＥＤ信号について補正する場合の例について説明する。しかしながら、他の信号における補正方法も以下で説明する方法と同様である。
【００３３】
色ずれ補正部２０４は、カウンタ６０１、係数選択部６０２、第１補正部６０３、第２補正部６０４及び線形補間部６０６を備える。カウンタ６０１は、タイミング発生回路２０５のクロック信号から発生される画素クロック信号に基づいてカウント動作を行う。
【００３４】
係数選択部６０２には、ＥＥＰＲＯＭ２０６に保持されている補正係数セットとそれに応じた主走査位置が設定される。係数選択部６０２は、カウンタ６０１の出力を受けて、設定されている主走査位置とカウンタ値が一致したときに、後段の第１補正部６０３及び第２補正部６０４に対して、対応する色ずれ補正係数を選択して出力する。例えば、カウンタ６０１のカウンタ値が１５００になったとき、係数選択部６０２は、第１補正部６０３に対して補正係数セットＲ２を出力し、第２補正部６０４に対して補正係数セットＲ３を出力する。
【００３５】
第１補正部６０３及び第２補正部６０４には、係数選択部６０２により補正係数が入力される。さらに、第１補正部６０３及び第２補正部６０４には、ラインメモリ２０８からの２ライン分の画像データと、色ずれ補正部２０４によって入力される画像データとの３ライン分の画像データが入力される。これらの入力された情報を用いて、第１補正部６０３及び第２補正部６０４は、式１の補正演算を行う。
【００３６】
その後、第１補正部６０３及び第２補正部６０４の演算値は、後段の線形補間部６０６に入力される。線形補間部６０６は、カウンタ６０１の出力値、係数選択部６０２に保持されている主走査位置データを使用して、第１補正部６０３及び第２補正部６０４の演算値に対して線形補間を実行し、最終的な色ずれ補正値を出力する。
【００３７】
ここで、線形補間演算について説明する。例えば、図５に矢印で示す１９００画素目の補正を行う場合、まず、第１補正部６０３は、主走査位置１５００画素で設定された補正係数セットＲ２で１９００画素目の画像データを補正演算する。同様に、第２補正部６０４は、主走査位置２９００画素で設定された補正係数セットＲ３で１９００画素目の画像データを補正演算する。
【００３８】
第１補正部６０３及び第２補正部６０４の演算出力は、線形補間部６０６に出力され、ここで線形補間演算が行われる。第１補正部６０３の出力に対しては、補正係数セットＲ３の主走査位置２９００と補正を行う主走査位置１９００の差分（第１差分）である１０００が乗算される。一方、第２補正部６０４の出力に対しては、補正係数セットＲ２の主走査位置１５００と補正を行う主走査位置１９００の差分（第２差分）である４００が乗算される。さらに、線形補間部６０６は、２つの値（第１乗算結果及び第２乗算結果）を加算するとともに、当該加算結果を補正係数セットＲ２の主走査位置と補正係数セットＲ３の主走査位置との差分である１４００で除算し、出力する。
【００３９】
このように、補正係数が設定されていない主走査位置に対しては、対象とする主走査位置の前後に設定された補正係数セットを用いて、補正演算を行う。その後、演算結果に対しては、補正係数セットが設定された主走査位置と補正対象とする主走査位置との差分に基づいて線形補間が行われる。これにより、色ずれ補正が行われ、主走査方向の各領域で滑らかに色ずれ補正が行われ、主走査方向の全領域で均等な色ずれ補正が実現される。
【００４０】
次に、図７を参照して、色ずれ補正部２０４の制御フローについて説明する。図７は、本実施形態に係る色ずれ補正の処理手順を示すフローチャートである。以下で説明する処理は、ＲＧＢごとの画像信号に対して、１つの画像信号に対する色ずれ補正の処理について説明する。
【００４１】
まず、ステップＳ７０１において、色ずれ補正部２０４は、注目画素の主走査位置に対応する補正係数がＥＥＰＲＯＭ２０６に記憶されているか否かを判定する。ここで、記憶されていればステップＳ７０２に進み、記憶されていなければステップＳ７０４に進む。具体的には、色ずれ補正部２０４は、主走査位置を示す値を検索キーワードとして、図３に示す主走査位置３０１の値を検索する。主走査位置３０１に該当する値があれば注目画素の主走査位置に対応する補正係数がＥＥＰＲＯＭ２０６に記憶されていると判定する。
【００４２】
ステップＳ７０２において、色ずれ補正部２０４は、ＥＥＰＲＯＭ２０６に記憶される注目画素の主走査位置に対応する補正係数と、ラインメモリ２０８に保持されている注目画素の主走査位置に対応する画像データとを取得する。その後、ステップＳ７０３において、色ずれ補正部２０４は、取得したデータを用いて注目画素における副走査方向の色ずれを補正する。
【００４３】
一方、ステップＳ７０４において、色ずれ補正部２０４は、ＥＥＰＲＯＭに記憶されている注目画素の主走査位置とは異なる２つの補正係数と、ラインメモリ２０８に保持されている注目画素の主走査位置に対応する画像データとを取得する。ここで２つの補正係数のうち１つは、注目画素の主走査位置を示す値より小さく、かつ、最も近い値であるＥＥＰＲＯＭ２０６に記憶された主走査位置に対応する補正係数（第１補正係数）となる。もう１つは、注目画素の主走査位置を示す値より大きく、かつ、最も近い値であるＥＥＰＲＯＭ２０６に記憶された主走査位置に対応する補正係数（第２補正係数）となる。
【００４４】
次に、ステップＳ７０５において、色ずれ補正部２０４は、第１補正部６０３及び第２補正部６０４により、２つの補正係数ごとに色ずれ補正を行う。続いて、ステップＳ７０６において、色ずれ補正部２０４は、第１補正部６０３及び第２補正部６０４の補正結果に対して、線形補間部６０６により線形補間することにより、注目画素に対する色ずれ補正を終了する。
【００４５】
以上説明したように、本実施形態に係る画像読取装置は、注目画素の主走査位置に対応する補正係数と、画像データとを用いて、当該注目画素に対する副走査方向の色ずれを補正する。これにより、基準軸光線の入射方向と射出方向とが異なり、かつ、曲率を有する複数のオフアキシャル反射面を用いて原稿を読み取る読取装置においても、主走査位置ごとの補正係数を用いて最適な色ずれ補正を行うことができる。したがって、本画像読取装置は、読み取り画像の品質を低下させることなく、小型化／低コスト化に有利な複数のオフアキシャル反射面を用いた読取ユニットを採用することができる。
【００４６】
なお、本発明は上記実施形態に限らず様々な変形が可能である。例えば、本画像読取装置は、注目画素の主走査位置に対応する補正係数を保持していない場合に、当該主走査位置と異なる他の主走査位置に対応する補正係数を用いて線形補間を行うことにより、当該注目画素の色ずれを補正してもよい。これにより、本画像読取装置は、主走査位置の全域対応する補正係数を保持する必要がなく、線形補間により、十分な色ずれ補正が実現可能な数の補正係数のみを予め記憶すればよい。よって、本画像読取装置は、色ずれ補正に関わるメモリの消費量を低減することができる。
【００４７】
また、本画像読取装置は、読み取った画像データに対し、例えば、Ｇ（Ｇｒｅｅｎ）信号を基準とし、Ｂ（Ｂｌｕｅ）信号、Ｒ（Ｒｅｄ）信号にのみ色ずれ補正処理を実行してもよい。これにより、本画像読取装置は、副走査方向の色ずれによる副走査ＭＴＦの低下を最小限に抑えることが可能となる。
【図面の簡単な説明】
【００４８】
【図１】本実施形態に係る画像読取装置の読取装置の一例を示す断面図である。
【図２】本実施形態に係る読取装置１０１の制御構成を示すブロック図である。
【図３】本実施形態に係るＥＥＰＲＯＭ２０６に格納されている色ずれ補正用のパラメータを示す図である。
【図４】３ライン分の画像データを示す図である。
【図５】本実施形態に係る実際の色ずれ量と補正係数設定値の関係を示す図である。
【図６】本実施形態に係る色ずれ補正部２０４の構成例を示すブロック図である。
【図７】本実施形態に係る色ずれ補正の処理手順を示すフローチャートである。
【符号の説明】
【００４９】
１０１：読取装置
１０２：読取ユニット
１０３：ガイドシャフト
１０４：光源
１０５、１０６、１０７：反射ミラー
１０８、１０９、１１０、１１１：結像ミラー
１１２：ミラー保持部材
１１３：結像ユニット
１１４：ＣＣＤラインセンサ
１１５：信号処理基板
１１６：結合部材
１１７：枠体
１１８：原稿台ガラス
【図１】
2010021727.tif 000003
【図２】
2010021727.tif 000004
【図３】
2010021727.tif 000005
【図４】
2010021727.tif 000006
【図５】
2010021727.tif 000007
【図６】
2010021727.tif 000008
【図７】
2010021727.tif 000009